(57)【特許請求の範囲】
【請求項１】
開口部が形成されたケース体と、前記ケース体に内蔵された電子部品とを備えたモデムにおいて、
前記開口部から空気を吹き出させる為の送風装置と、
前記送風装置の送風を制御する制御装置
とを具備してなり、
前記開口部はゴキブリが侵入できる大きさのものであり、
前記制御装置による制御で前記送風装置による空気が前記開口部を介してケース体外に一定時間置きに吹き出され、この吹き出される空気によってゴキブリのケース体内への侵入が防止されるようにした
ことを特徴とするモデム。
【発明の詳細な説明】
【技術分野】
【０００１】
本発明はモデムに関する。
【背景技術】
【０００２】
モデム（ｍｏｄｅｍ（ｍｏｄｕｌａｔｏｒ・ｄｅｍｏｄｕｌａｔｏｒ）：変調復調装置）は、例えばコンピュータから送られて来るデジタル信号を伝送路の特性に合わせたアナログ信号にデジタル変調して送信すると共に、伝送路からのアナログ信号をデジタル信号に復調して受信する通信機器である。そして、このモデムは、インターネット時代の今日では、一般家庭まで、広く、普及するに至っている。
【発明の開示】
【発明が解決しようとする課題】
【０００３】
さて、一般家庭にまでモデムが広く普及した今日、これまでは、想定されてなかった問題が起き始めた。すなわち、モデム内部にゴキブリが入り込み、モデムの故障が引き起こされることが判って来た。と言うのは、モデムにはケース内部に電子部品が内蔵されている。そして、電子部品から発生する適度な熱によって、どうも、モデムケース内はゴキブリの生存に適した環境になっているようであることが判って来た。しかも、モデムには、ケースに適当な孔が形成されており、ゴキブリの侵入には全く不都合が無いものとなっている。このようなことから、台所で発生しているゴキブリがモデム内部に侵入し、これによって、モデムの故障が引き起こされるに至っていることが判って来た。特に、今日、所謂、ワンルームマンションにあっては、モデムが台所（キッチン）の近傍箇所に設置されていることも多い。そして、モデムの被害がゴキブリに起因していることが次第に判って来た。
【０００４】
従って、本発明が解決しようとする課題は、ゴキブリによる被害を防止できるモデムを提供することである。
【課題を解決するための手段】
【０００５】
前記の課題は、
開口部が形成されたケース体と、前記ケース体に内蔵された電子部品とを備えたモデムにおいて、
前記開口部近傍のケース体を振動せしめる振動装置が該ケース体に取り付けられてなる
ことを特徴とするモデムによって解決される。
【０００６】
又、開口部が形成されたケース体と、前記ケース体に内蔵された電子部品とを備えたモデムにおいて、
前記開口部から空気を流出せしめる送風装置が前記ケース体に取り付けられてなる
ことを特徴とするモデムによって解決される。
【０００７】
又、開口部が形成されたケース体と、前記ケース体に内蔵された電子部品とを備えたモデムにおいて、
前記開口部を照らす照明装置が前記ケース体に取り付けられてなる
ことを特徴とするモデムによって解決される。
【発明の効果】
【０００８】
振動装置や送風装置および／または照明装置が設けられてなるモデムには、前記装置の作用（振動作用・送風作用・照明作用）によって、ゴキブリがモデムのケースに形成されている開口部からケース内部に侵入し難いものとなる。
従って、ゴキブリによる内蔵電子部品の被害が起き難くなり、モデムの故障が引き起され難く、通信障害が起き難くなる。
【０００９】
尚、特開昭６２−５５０３５号公報には、家具などに発光体を設け、この発光体の作用によりゴキブリの侵入防止を図ることが提案されている。又、特開平１０−１７９３８８号公報には、洗米機における暗所（暗室）に発光体を設け、この発光体の作用によりゴキブリの侵入防止を図ることが提案されている。又、特開２００３−４５６２９号公報には、加熱調理器に送風ファンを設け、この送風ファンの作用によりゴキブリの侵入防止を図ることが提案されている。
【００１０】
しかしながら、これ等の提案の製品にあっては、従来からも、ゴキブリが発生していることが周知の製品である。従って、これ等の提案の製品にゴキブリ侵入防止機構が講じられることは何ら不思議なものでは無い。
【００１１】
さて、本発明が対象としたモデムは、これまで、ゴキブリ被害が知られてなかった製品である。すなわち、これまで、モデムの内部にゴキブリが侵入と言った現象に気付くことが無かった。又、特開昭６２−５５０３５号公報、特開平１０−１７９３８８号公報や特開２００３−４５６２９号公報に開示の製品と、本願発明の対象であるモデムとは、その内容が余りにも違い過ぎる。そして、特開昭６２−５５０３５号公報、特開平１０−１７９３８８号公報や特開２００３−４５６２９号公報に開示の製品にあっては、ゴキブリが、ある程度、侵入しそうなことは予想できる。しかしながら、本発明が対象としたモデムにゴキブリが侵入するかも知れないと言ったことは予想すら出来ない。
【００１２】
従って、特開昭６２−５５０３５号公報、特開平１０−１７９３８８号公報や特開２００３−４５６２９号公報から本願発明を想到せしめる動機付けは得られない。
【発明を実施するための最良の形態】
【００１３】
本発明はモデムに関する。このモデムはケース体（筺体：ハウジング）を有する。ケース体には、モデムとしての電子部品が内蔵されている。そして、前記ケース体には、例えば放熱上の観点から、開口部（孔：開口孔）が形成されている。このようなモデムにおいて、本発明にあっては、開口部近傍のケース体を振動せしめる振動装置が設けられている。これによって、ゴキブリが開口孔から侵入しようとした場合、開口孔近傍のケース体が振動していることから、ゴキブリのヒゲが開口孔端に触れると、ゴキブリは要注意を感じる。そして、ゴキブリは、非常に敏感（鋭敏）な特性を有する昆虫であるので、開口孔から内部に侵入するのを躊躇することになる。従って、内部への侵入が防止される。前記振動装置に代わって、送風装置が設けられていると、開口孔から風が吹き出される。そして、ゴキブリが開口孔から内部に入り込もうとした場合、ゴキブリは開口孔から風が吹き出されていることを感知する。そうすると、やはり、これは何か危険だとの要注意を感じる。そして、開口孔から内部に侵入するのを躊躇することになる。従って、内部への侵入が防止される。又、前記振動装置や送風装置に代わって、照明装置が設けられていると、開口孔の箇所が明るく照らされている。そして、ゴキブリが開口孔から内部に入り込もうとした場合、ゴキブリは開口孔の箇所が明るくなっていることを感知する。そうすると、やはり、これは何か危険だとの要注意を感じるようになる。そして、開口孔から内部に侵入するのを躊躇することになる。従って、内部への侵入が防止される。尚、上記振動装置、送風装置、及び照明装置は、何れか一つが設けられるのみでも良く、又、何れか二つの組み合わせになるものが設けられても良く、又、三つ全てが設けられても良い。
【００１４】
以下、更に具体的に説明する。
【００１５】
図１及び図２は本発明になる第１実施形態のモデムを説明する為のもので、図１は全体の斜視図、図２は要部を示す概略断面図である。
【００１６】
各図中、Ｍはモデム、１はケース、２はケース１に設けられた開口孔である。尚、この開口孔２は、ゴキブリが侵入できる程度の大きさ（縦×横がａ×ａの大きさ）のものである。そして、ケース側面や上面の適宜な箇所に形成されている。３は、ケース１に内蔵されているモデムとしての回路基板などを含む電子部品である。但し、今日のパーソナルコンピュータが持つような冷却ファンは無い。つまり、ファンを動作させるような電子部品は搭載されて無い。従って、電子部品３から発生する熱によって、ケース１内はゴキブリの生存環境に実に適したものになっている。しかも、モデムＭのケース１は、通常、大きなものでは無い。ゴキブリに被害を与えるような大きな生物がケース１内に侵入する恐れが小さく、モデムＭのケース１内はゴキブリの生活環境として非常に安全で快適な空間となっている。従って、ゴキブリにしてみると、ワンルームマンションの室内に設置されたモデムＭのケース１内は天敵がいない天国のような快適空間である。そして、開口孔２からケース１内に侵入したゴキブリは、電子部品３に接触して短絡を引き起こしたり、或いは電子部品を食い破り、断線を引き起こしたりに至っている。そして、ワンルームマンションの室内に設置されたモデムＭにはゴキブリ被害が認められるようになったのである。
【００１７】
４は、ケース１の内壁の適宜な箇所に取り付けられた振動装置である。尚、振動装置４は、振動素子（直径φ、幅ｄ、長さｌ、厚みｗ）５や振動制御回路６を有する。勿論、このようなもの限られるものでは無い。要するに、開口孔２近傍のケース１面を、適宜、振動せしめるようなものであれば良い。従って、振動制御回路６の作動により振動素子５が動作すると、開口孔２近傍のケース１面が振動するように構成されている。例えば、振動制御回路６が有するタイマー機能によって、一定時間置きに、或いは夜間における一定時間置きに開口孔２近傍のケース１面が振動するように構成されている。尚、上記振動制御回路６は振動周波数を所定の値に設定できる調節機構（可変調節機構）を有しており、ゴキブリが特に嫌う特定振動周波数にも設定できるようになっている。そして、ゴキブリが特に嫌う特定振動周波数で開口孔２近傍のケース１面が振動するように構成されている。その結果、例えば図３に示すようなフローチャートでゴキブリの侵入が阻止される。
【００１８】
図４は、本発明になる第２実施形態のモデムの要部を示す概略断面図である。
上記第１実施形態にあっては、ゴキブリの侵入防止の為に、ケースを振動させる手段が採用されたのに対して、本実施形態にあっては、送風装置１１をケース１に内蔵させたものである。すなわち、ケース１に形成されている開口孔から送風装置１１による風を吹き出させ、これによってゴキブリの侵入が阻止されるように構成させたものである。尚、図示していないが、制御回路を備えており、この制御回路の動作によって、一定時間置きに、或いは夜間における一定時間置きに、又、必要に応じて風量が、適宜、制御されて、開口孔から風が吹き出されるようになっている。尚、本実施形態のものは、内蔵の電子部品を冷却することにもなる。
【００１９】
図５は、本発明になる第３実施形態のモデムの要部を示す概略断面図である。
上記第１実施形態にあっては、ゴキブリの侵入防止の為に、ケースを振動させる手段が採用されたのに対して、本実施形態にあっては、発光ダイオード等の照明装置２１をケース１に内蔵させたものである。すなわち、ケース１に形成されている開口孔の近傍を明るく照らし、これによってゴキブリの侵入が阻止されるように構成させたものである。尚、図示していないが、制御回路を備えており、この制御回路の動作によって、一定時間置きに、或いは夜間における一定時間置きに、又、必要に応じて照度が、適宜、調節されて、開口孔の近傍が照らされるようになっている。
【図面の簡単な説明】
【００２０】
【図１】本発明になる第１実施形態のモデム全体の斜視図
【図２】本発明になる第１実施形態のモデムの要部を示す概略断面図
【図３】ゴキブリ侵入防止のフローチャート
【図４】本発明になる第２実施形態のモデムの要部を示す概略断面図
【図５】本発明になる第２実施形態のモデムの要部を示す概略断面図
【符号の説明】
【００２１】
Ｍ      モデム
１      ケース
２      開口孔
３      電子部品
４      振動装置
１１    送風装置
２１    照明装置
特許出願人  ＮＥＣアクセステクニカ株式会社
代  理  人  宇      高          克      己
【図１】
0004803539.tif 000002
【図２】
0004803539.tif 000003
【図３】
0004803539.tif 000004
【図４】
0004803539.tif 000005
【図５】
0004803539.tif 000006